(57)【要約】【課題】機種に応じた温度制御ができる携帯端末装着装置を提供する。【解決手段】  クレイドル本体３に携帯端末２が装着される。クレイドル本体３には、携帯端末２を冷却する冷却ファン４が設けられている。クレイドル本体３内に内蔵されたμＣＯＭは、携帯端末２から機種情報を読み出して機種を判別し、判別した機種に応じた設定温度を設定する。また、μＣＯＭは、携帯端末２に内蔵された温度センサ２４の出力を読み出して、携帯端末２の発熱温度を検知し、検知した発熱温度が設定温度を超えた場合に、冷却ファン４を駆動させる。【選択図】図１
2014131138.tif 000002
【特許請求の範囲】
【請求項１】
携帯端末を装着する携帯端末装着装置であって、
前記携帯端末を装着する装着部と、
前記装着部に装着された携帯端末の発熱温度を検知する検知部と、
前記装着部に装着された携帯端末の機種を判別する判別部と、
前記装着部に装着された携帯端末を冷却する冷却部と、
前記検知部により検知された発熱温度が設定温度を超えた場合に前記冷却部を動作させる制御部と、を備え、
前記制御部が、前記判別部により判別された機種に応じて前記設定温度を変える
ことを特徴とする携帯端末装着装置。
【請求項２】
前記判別部が、前記携帯端末内に格納された機種情報を読み取ることにより、前記機種の判別を行う
ことを特徴とする請求項１に記載の携帯端末装着装置。
【請求項３】
前記検知部が、前記携帯端末内に内蔵された温度センサの出力を読み取ることにより、前記発熱温度の検知を行う
ことを特徴とする請求項１又は２に記載の携帯端末装着装置。
【請求項４】
携帯端末を装着する携帯端末装着装置に設けられた冷却部を制御する制御方法であって、
前記携帯端末装着装置に装着された前記携帯端末の発熱温度を検知する検知工程と、
前記携帯端末装着装置に装着された前記携帯端末の機種を判別する判別工程と、
前記検知工程により検知された発熱温度が設定温度を超えた場合に前記冷却部を動作させる制御工程と、を備え、
前記制御工程において、前記判別された機種に応じて前記設定温度を変える
ことを特徴とする制御方法。
【請求項５】
請求項４に記載の制御方法を、コンピュータにより実行させることを特徴とする制御プログラム。
【請求項６】
請求項５に記載の制御プログラムを格納したことを特徴とするコンピュータ読み取り可能な記録媒体。
【発明の詳細な説明】
【技術分野】
【０００１】
本発明は、携帯端末装着装置、制御方法、制御プログラム及び制御プログラムを格納した記録媒体に関するものである。
【背景技術】
【０００２】
携帯端末は車載で使用することを想定していないため、その温度動作保証範囲は狭く、通常５℃〜３５℃である。そして、携帯端末としては、充電池の保護のため高温になると動作を止める温度保護機能を有しているのが一般的となっている。このため、車両内で携帯端末を使用すると、携帯端末自身の発熱と周囲温度により、温度保護機能が働いて、携帯端末が動作しなくなることがある。
【０００３】
また、従来より、携帯端末を充電するための卓上ホルダに、ファンやペルチェ素子を設けて、携帯端末を冷却するものが提案されている（特許文献１）。しかしながら、この卓上ホルダは車載での使用を想定したものではなく、この卓上ホルダにさまざまな機種の携帯端末を装着することも想定していない。このため、ファンやペルチェ素子の制御は機種に関係なく一律に同じに行っているため、機種に応じた温度制御ができない。
【先行技術文献】
【特許文献】
【０００４】
【特許文献１】特開２００９−２００６５２号公報
【発明の概要】
【発明が解決しようとする課題】
【０００５】
本発明が解決しようとする課題としては、上述した従来技術において生じる、機種に応じた温度制御ができない、という問題が一例として挙げられる。
【課題を解決するための手段】
【０００６】
上記課題を解決するために、請求項１に記載の携帯端末装着装置は、携帯端末を装着する携帯端末装着装置であって、前記携帯端末を装着する装着部と、前記装着部に装着された携帯端末の発熱温度を検知する検知部と、前記装着部に装着された携帯端末の機種を判別する判別部と、前記装着部に装着された携帯端末を冷却する冷却部と、前記検知部により検知された発熱温度が設定温度を超えた場合に前記冷却部を動作させる制御部と、を備え、前記制御部が、前記判別部により判別された機種に応じて前記設定温度を変えることを特徴とする。
【０００７】
請求項４記載の制御方法は、携帯端末を装着する携帯端末装着装置に設けられた冷却部を制御する制御方法であって、前記携帯端末装着装置に装着された前記携帯端末の発熱温度を検知する検知工程と、前記携帯端末装着装置に装着された前記携帯端末の機種を判別する判別工程と、前記検知工程により検知された発熱温度が設定温度を超えた場合に前記冷却部を動作させる制御工程と、を備え、前記制御工程において、前記判別された機種に応じて前記設定温度を変えることを特徴とする。
【図面の簡単な説明】
【０００８】
【図１】（Ａ）〜（Ｃ）はそれぞれ、本発明の携帯端末装着装置としてのクレイドルの第１実施例を示す正面図、側面図及び背面図である。
【図２】図１に示すクレイドルの電気構成図である。
【図３】図２に示すメモリに格納された機種に対する設定温度のテーブルである。
【図４】図２に示す制御部の処理手順を示すフローチャートである。
【図５】（Ａ）〜（Ｃ）はそれぞれ、本発明の携帯端末装着装置としてのクレイドルの第２実施例を示す正面図、側面図及び背面図である。
【発明を実施するための形態】
【０００９】
以下、本発明の一実施形態にかかる携帯端末装着装置及び携帯端末装着装置に設けられた冷却部を制御する制御方法を説明する。携帯端末を装着する携帯端末装着装置は、携帯端末を装着する装着部と、装着部に装着された携帯端末の発熱温度を検知する検知部と、装着部に装着された携帯端末の機種を判別する判別部と、装着部に装着された携帯端末を冷却する冷却部と、検知部により検知された発熱温度が設定温度を超えた場合に冷却部を動作させる制御部と、を備え、制御部が、判別部により判別された機種に応じて設定温度を変える。
【００１０】
これにより、冷却部を動作させるための設定温度を機種に応じて変えることができ、機種に応じた温度制御をすることができる。
【００１１】
また、判別部が、携帯端末内に格納された機種情報を読み取ることにより、機種の判別を行うようにしてもよい。これにより、機種を簡単に判別することができる。
【００１２】
また、検知部が、携帯端末内に内蔵された温度センサの出力を読み取ることにより、発熱温度の検知を行うようにしてもよい。これにより、携帯端末に内蔵された温度センサとは別に温度センサを設ける必要がなく、コストダウンを図ることができる。
【００１３】
上記携帯端末を装着する携帯端末装着装置に設けられた冷却部を制御する制御方法であって、携帯端末装着装置に装着された携帯端末の発熱温度を検知する検知工程と、携帯端末装着装置に装着された携帯端末の機種を判別する判別工程と、検知工程により検知された発熱温度が設定温度を超えた場合に冷却部を動作させる制御工程と、を備え、制御工程において、判別された機種に応じて設定温度を変えることを特徴とする。
【００１４】
これにより、冷却部を動作させるための設定温度を機種に応じて変えることができ、機種に応じた温度制御をすることができる。
【００１５】
また、上述した制御方法をコンピュータにより実行させる案内プログラムでもよい。これにより、専用のハードウエアなどが不要となり、汎用の情報処理装置にインストールして機能させることができる。
【００１６】
また、上制御内プログラムをコンピュータ読み取り可能な記録媒体に格納してもよい。このようにすることにより、当該プログラムを機器に組み込む以外に単体でも流通させることができ、バージョンアップ等も容易に行える。
【実施例】
【００１７】
次に、上述した携帯端末装着装置及び制御方法の第１実施例について、図１を参照して以下説明する。同図に示すように、携帯端末装着装置としてのクレイドル１は、スマートフォンなどの携帯端末２を車両の例えばダッシュボードに取り付けるための装置である。上記携帯端末２は、コンピュータが内蔵され、発熱温度が一定値以上になると動作を停止する温度保護機能を有している。なお、この一定値は、携帯端末２の機種毎に異なる。
【００１８】
上記クレイドル１は、携帯端末２を装着する装着部としてのクレイドル本体３と、クレイドル本体３に設けられた冷却部としての冷却ファン４と、を備えている。クレイドル本体３は、樹脂などから構成され、携帯端末２を保持するための端末ホルダ３１と、内部に図示しない基板を保持する基板ホルダ３２と、これらホルダ３１及び３２を車両のダッシュボードに取り付けるためのアーム３３と、ヒンジ３４と、ベース３５と、を備えている。
【００１９】
端末ホルダ３１は、携帯端末２の下端を支持する下端支持部３１Ａと、下端支持部３１Ａの背面側端部から立設し、携帯端末２の背面を支持する背面支持部３１Ｂと、背面支持部３１Ｂの幅方向両端からそれぞれ立設し、携帯端末２の幅方向両端を挟んで支持する一対の両端支持部３１Ｃと、が一体に形成されている。
【００２０】
上記基板ホルダ３２は、略円盤状に設けられ、背面支持部３１Ｂの略中央にその厚さ方向に沿った軸周りに回転可能に取り付けられている。これにより、端末ホルダ３１を厚さ方向に沿った軸周りに回転させて、携帯端末２を縦置き、横置きの何れにもすることができる。
【００２１】
また、上記アーム３３は、基板ホルダ３２背面から下垂している。このアーム３３は、その下端にヒンジ３４が設けられ、このヒンジ３４によりベース３５に対して幅方向に沿った軸周りに回転可能に取り付けられている。これにより、端末ホルダ３１を幅方向に沿った軸周りに回転させ、携帯端末２の上下位置を調整することができる。
【００２２】
ベース３５は、クレイドル１を車両に取り付ける際の土台として機能する。ベース３５の下面には吸盤が設けられ、ベース３５はその吸盤により車両のダッシュボードなどに固定される。
【００２３】
冷却ファン４は、背面支持部３１Ｂの背面に取り付けられると共に、背面支持部３１Ｂを貫通する貫通孔３１Ｄと対向する位置に取り付けられている。背面支持部３１Ｂは、図１（Ｂ）に示すように、貫通孔３１Ｄが設けられている部分が携帯端末２の背面と離間するように設けられ、貫通孔３１Ｄが携帯端末２によって塞がれないようになっている。これにより、冷却ファン４が回転すると、冷却ファン４からの送風が貫通孔３１Ｄを通って携帯端末２に向かって流れ、携帯端末２を冷却する。
【００２４】
次に、図２を参照して上述したクレイドル１及び携帯端末２の電気構成について説明する。まず、携帯端末２の電気構成について説明すると、携帯端末２は、バッテリ２１と、外部から電源を取り込むためのマイクロＵＳＢなどの電源端子２２と、電源端子２２から取り込んだ電源でバッテリ２１を充電する充電回路２３と、を備えている。上記バッテリ２１は、携帯端末２に内蔵された後述するμＣＯＭ２６などの各種電子部品に電力を供給する。
【００２５】
また、携帯端末２は、バッテリ２１近傍に配置された温度センサ２４と、機種情報を格納したメモリ２５と、携帯端末２全体の制御を司るマイクロコンピュータ（以下、μＣＯＭ）２６と、クレイドル１とブルートゥース無線などの無線通信を行うための無線部２７と、を備えている。上記μＣＯＭ２６は、例えばＲＡＭ（Randam Access Memory）やＲＯＭ（Read Only Memory）などのメモリを備えたＣＰＵ（Central Processing Unit）で構成され、温度センサ２４により検知された携帯端末２の発熱温度が一定値を超えると、動作を停止する温度保護機能を有している。
【００２６】
クレイドル１は、外部から電源を取り込むための電源端子５と、電源端子５から取り込まれた電源を携帯端末２のバッテリ２１に充電するのに適した電源やクレイドル１に内蔵した各種電子部品に供給できる電源に変換する電源回路６と、電源回路６により変換された電源を出力する電源端子７と、を備えている。電源端子５は、図示しない電源ケーブルを介して車載バッテリに接続され、車載バッテリから電源供給を受ける。電源端子７は、クレイドル本体３から引き出された図示しない電線の端末に設けられている。また、クレイドル１は、携帯端末２と無線通信を行うための無線部８と、図３に示すテーブル（後述する）が格納されたメモリ９と、クレイドル１全体の制御を司るμＣＯＭ１０と、冷却ファン４を駆動するファン駆動回路１１と、を備えている。
【００２７】
μＣＯＭ１０は、例えばＲＡＭやＲＯＭなどのメモリを備えたＣＰＵで構成されている。μＣＯＭ１０内のメモリ（記録媒体）には、ＣＰＵを動作させるための制御プログラムなどが記録されている。μＣＯＭ１０は、図２に示すように、携帯端末２との無線通信により携帯端末２内に内蔵された温度センサ２４の出力を読み取って、クレイドル本体３に装着された携帯端末２の発熱温度として検知する検知部１０１と、携帯端末２との無線通信により携帯端末２内に格納された機種情報を読み取ることにより、クレイドル本体３に装着された携帯端末２の機種を判別する判別部１０２と、検知部１０１により検知された発熱温度及び判別部１０２により判別された機種の双方に応じて冷却ファン４の駆動を制御する制御部１０３として機能する。
【００２８】
上記メモリ９には、図３に示すように、機種情報と、当該機種情報に対応する冷却ファン４を動作させるための設定温度と、を示すテーブルが格納されている。制御部１０３は、このテーブルから判別部１０２が判別した機種の設定温度を読み取り、読み取った温度を設定温度として設定する。なお、この設定温度は、携帯端末２の温度保護機能で設定された一定値よりも小さい値である。また、上述したμＣＯＭ１０などクレイドル１が備えている各種電子部品は、図示しない基板に搭載され、クレイドル１内に保持されている。
【００２９】
次に、上述した構成のクレイドル１の動作について図４を参照して以下説明する。まず、ユーザが、携帯端末２の電源端子２２にクレイドル１の電源端子７を接続すると共に、クレイドル本体３の端末ホルダ３１に携帯端末２を保持させる。μＣＯＭ１０は、携帯端末２との無線通信ができると、クレイドル本体３に携帯端末２が装着されたと判断して、図４に示す温度保護処理を開始する。
【００３０】
温度保護処理において、μＣＯＭ１０は、判別部１０２として機能し、携帯端末２と無線通信を行いメモリ２５に格納された機種情報を読み込み、機種を判別する（ステップＳ１）。このステップＳ１が請求項中の判別工程に相当する。その後、μＣＯＭ１０は、制御部１０３として機能し、図３に示すテーブルを参照して機種情報に応じた設定温度を設定する（ステップＳ２）。次に、μＣＯＭ１０は、検知部１０１として機能し、携帯端末２と無線通信を行い温度センサ２４の出力を読み込んで携帯端末２の発熱温度を検知する（ステップＳ３）。このステップＳ３が検知工程に相当する。μＣＯＭ１０は、制御部１０３として機能し、検知した発熱温度がステップＳ２で設定した設定温度を超えている場合（ステップＳ４でＹ）、冷却ファン４が駆動されていなければファン駆動回路１１を制御して冷却ファン４の駆動を開始した後（ステップＳ５）、ステップＳ７に進む。
【００３１】
一方、検知した発熱温度がステップＳ２で設定した設定温度以下の場合（ステップＳ４でＮ）、μＣＯＭ１０は、冷却ファン４が駆動されていれば冷却ファン４の駆動を停止した後（ステップＳ６）、ステップＳ７に進む。上記ステップＳ２、Ｓ４、Ｓ５及びＳ６が請求項中の制御工程に相当する。ステップＳ７においてμＣＯＭ１０は、電源端子７と携帯端末２の電源端子２２の接続がまだ検知されていれば携帯端末２がクレイドル本体３に装着されていると判別して（ステップＳ７でＹ）、ステップＳ３に戻り再び発熱温度を検知する。携帯端末２との無線通信ができなければ、μＣＯＭ１０は、携帯端末２がクレイドル本体３に装着されていないと判別して（ステップＳ７でＮ）、冷却ファン４が駆動されていればその駆動を停止した後（ステップＳ８）、温度保護処理を終了する。
【００３２】
上述した第１実施例によれば、携帯端末２の発熱温度が設定温度を超えると冷却ファン４が駆動して携帯端末２が冷却されるため、温度保護機能が働いて動作停止してしまうのを防ぐことができる。
【００３３】
また、上述した第１実施例によれば、判別された機種に応じて冷却ファン４を動作させるための設定温度を変えることができ、機種に応じた温度制御をすることができる。
【００３４】
また、上述した第１実施例によれば、μＣＯＭ１０が、携帯端末２内に格納された機種情報を読み取ることにより、機種の判別を行っている。これにより、機種を簡単に判別することができる。
【００３５】
また、上述した第１実施例によれば、μＣＯＭ１０が、携帯端末２内に内蔵された温度センサ２４の出力を読み取ることにより、発熱温度の検知を行っている。これにより、携帯端末２に内蔵された温度センサ２４とは別に温度センサを設ける必要がなく、コストダウンを図ることができる。
【００３６】
なお、上述した第１実施例では、冷却ファン４の回転数については述べていなかったが、冷却ファン４の回転数は一定でも、検知した発熱温度が高いほど冷却ファン４の回転数を多くするように制御してもよい。
【００３７】
次に、第２実施例について説明する。第１実施例と第２実施例とで異なる点は、冷却部の構成である。上述した第１実施例では、冷却部として冷却ファン４を用いていたが、第２実施例では、図５に示すように、冷却ファン４の代わりにペルチェ素子１２とヒートシンク１３を用いている。上記ペルチェ素子１２は、背面支持部３１Ｂの正面に取り付けられ、携帯端末２の背面全体を覆うことができるような大きさに設けられている。このペルチェ素子１２の上端部は、背面支持部３１Ｂよりも上方に突出し、その上端部の背面にヒートシンク１３が取り付けられている。
【００３８】
またペルチェ素子１２の正面には図示しない熱伝導シートが設けられ、この熱伝導シートは、携帯端末２が装着されると、携帯端末２の背面と密着する。以上の構成によれば、ペルチェ素子１２に電源を供給すると、携帯端末２の熱を吸熱し、ペルチェ素子１２が吸熱した熱をヒートシンク１３が放熱して、携帯端末２を冷却することができる。
【００３９】
なお、上述した第１及び第２実施例によれば、携帯端末２に内蔵された温度センサ２４から携帯端末２の発熱温度を検知していたが、本発明はこれに限ったものではない。例えば、クレイドル１に温度センサを設けても良い。
【００４０】
また、上述した第１及び第２実施例によれば、携帯端末２の発熱温度が設定温度以下のときは冷却ファン４やペルチェ素子１２を駆動させていなかったが、本発明はこれに限ったものではない。例えば、携帯端末２の発熱温度を検知する温度センサ２４とは別に車両内の温度を検知する温度センサを設け、車両内の温度が機種に関係なく一定温度以上である場合は携帯端末２の発熱温度が設定温度以下であっても冷却ファン４やペルチェ素子１２を駆動するようにしてもよい。また、この車両内の温度を検知する温度センサとして、例えば、車両に搭載されたオーディオ機器が持っている温度センサを流用することができる。
【００４１】
また、上述した第１及び第２実施例によれば、無線によって携帯端末２から機器情報や温度センサの出力を読み取っていたが、本発明はこれに限ったものではない。有線で携帯端末２と接続して機器情報や温度センサの出力を読み取るようにしてもよい。
【００４２】
また、上述した第１及び第２実施例では、無線端末２と無線通信ができたとき装着を検知としていたが、本発明はこれに限ったものではない。接触センサなどをクレイドル本体３に設けて装着を検知してもよい。
【００４３】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００４４】
１  クレイドル（携帯端末装着装置）
２  携帯端末
３  クレイドル本体（装着部）
４  冷却ファン（冷却部）
１２  ペルチェ素子（冷却部）
１３  ヒートシンク（冷却部）
２４  温度センサ
１０１  検知部
１０２  判別部
１０３  制御部
【図１】
2014131138.tif 000003
【図２】
2014131138.tif 000004
【図３】
2014131138.tif 000005
【図４】
2014131138.tif 000006
【図５】
2014131138.tif 000007